(57)【特許請求の範囲】
【請求項１】
建物の外壁下端部における換気水切構造であって、
前記建物の基礎と、
前記基礎上に間隔をあけて配置される第１の壁部材と、前記第１の壁部材よりも外部空間側に配置され、前記第１の壁部材よりも下方にまで延びる第２の壁部材とを含む外壁と、
前記建物の床下空間に連通し、前記基礎と前記第１の壁部材との間に形成された床下通気路と、
前記第２の壁部材の裏面側において上下方向に延び、前記第２の壁部材の下端よりも上方に配置された外気取入口を有する立壁部と、前記立壁部の下端部から前記第２の壁部材にまで延び、前記外気取入口よりも外部空間側からの水の浸入を遮るための前方遮水部と、前記立壁部の上端部と前記基礎との間に配置され、前記外気取入口よりも内部空間側からの水の浸入を遮るための後方遮水部とを含み、前記外気取入口から取り入れた外気を前記床下通気路に送り込む土台水切とを備える、外壁下端部の換気水切構造。
【請求項２】
前記土台水切は、前記外気取入口から流入した外気の流れを前記第２の壁部材の裏面側に向ける構造を有している、請求項１に記載の外壁下端部の換気水切構造。
【請求項３】
前記第１の壁部材と前記第２の壁部材との間に形成され、上下方向に延びる壁内通気路をさらに備え、
前記土台水切は、前記外気取入口から取り入れた外気を、前記床下通気路および前記壁内通気路の双方に送り込む、請求項１または２に記載の外壁下端部の換気水切構造。
【請求項４】
前記第２の壁部材および前記壁内通気路は、前記基礎の外側面よりも外部空間側に位置し、
前記土台水切は、前記第２の壁部材の裏面と前記基礎の外側面との間に取り付けられる、請求項３に記載の外壁下端部の換気水切構造。
【請求項５】
前記第１の壁部材の一部は、前記基礎の外側面よりも外部空間側に張り出して配置されており、
前記後方遮水部は、前記立壁部の上端部から内部空間側へ延び、前記第１の壁部材の下方に配置される上壁部を有し、
前記上壁部と前記第１の壁部材との間に、前記外気取入口から取り入れられた外気が前記床下通気路にまで至る通気経路が形成される、請求項１〜４のいずれかに記載の外壁下端部の換気水切構造。
【請求項６】
前記上壁部は、略水平方向に延びており、
前記床下通気路への通気が必要ない箇所には、前記上壁部と前記第１の壁部材との間に、シール部材が配置される、請求項５に記載の外壁下端部の換気水切構造。
【請求項７】
前記第２の壁部材は、上下方向に貫通する空洞を有しており、
前記土台水切の前記前方遮水部に取り付けられ、前記第２の壁部材の下端面に沿って前記空洞よりも外部空間側にまで延びる延出部材をさらに備え、
前記延出部材の先端部と前記第２の壁部材の下端面との間には、前記空洞への水の浸入を遮るためのシール部材が設けられる、請求項１〜６のいずれかに記載の外壁下端部の換気水切構造。
【請求項８】
建物の外壁下端部に取り付けられる土台水切であって、
前記外壁は、基礎上に間隔をあけて配置される第１の壁部材と、前記第１の壁部材よりも外部空間側に配置され、前記第１の壁部材よりも下方にまで延びる第２の壁部材とを含み、
前記第２の壁部材の裏面側において上下方向に延び、前記第２の壁部材の下端よりも上方に配置された外気取入口を有する立壁部と、
前記立壁部の下端部から前記第２の壁部材にまで延び、前記外気取入口よりも外部空間側からの水の浸入を遮るための前方遮水部と、
前記立壁部の上端部と前記基礎との間に配置され、前記外気取入口よりも内部空間側からの水の浸入を遮るための後方遮水部とを含み、
前記外気取入口から取り入れた外気を、前記基礎と前記第１の壁部材との間に形成された床下通気路に送り込む、土台水切。
【発明の詳細な説明】
【技術分野】
【０００１】
本発明は、土台水切、および、外壁下端部の換気水切構造に関し、特に、外壁下端部に取り付けられる土台水切、および、これを含む外壁下端部の換気水切構造に関する。
【背景技術】
【０００２】
建物の外壁下端部には、床下空間の換気を可能としつつ床下空間への雨水の浸入を防止するために土台水切（見切部材）が取り付けられる。一般的に、土台水切は、外壁内に形成された通気路（通気層）にも外気を送り込む。
【０００３】
土台水切は、外壁の外装面材よりも下方に突出して設けられることが多い。この場合、一般的には、たとえば特開２０１１−２３６７０４号公報（特許文献１）に示されるように、外気取入口（外部通気穴）は、外装面材の下端面よりも下方位置に設けられる。一方で、特開２００４−４４２３０号公報（特許文献２）に示されるように、外壁の外装面材の裏面側に、床下空間への通気のための導入孔を設けた通気水切材も提案されている。
【先行技術文献】
【特許文献】
【０００４】
【特許文献１】特開２０１１−２３６７０４号公報
【特許文献２】特開２００４−４４２３０号公報
【発明の概要】
【発明が解決しようとする課題】
【０００５】
土台水切が外壁の外装面材よりも下方に突出して設けられた建物では、土台水切が目立つため、外壁下端部の意匠性が低下する場合がある。特許文献２では、床下空間への通気のための導入孔が外装面材の裏面側に上下方向に配置されているものの、通気水切材は、外壁の外装面材の下方かつ前方（外部空間側）に突出する水切板部を含んでいる。したがって、特許文献２の場合も、外部から見た場合、通気水切材が目立ってしまう。
【０００６】
また、特許文献１や特許文献２のような外壁下端部の換気水切構造では、床下空間側の防水対策が十分ではない。
【０００７】
本発明は、上記のような課題を解決するためになされたものであって、その目的は、外壁下端部の意匠性を向上させることのできる換気水切構造および土台水切を提供することである。
【０００８】
また、本発明は、床下空間への雨水の浸入を抑制することのできる外壁下端部の換気水切構造および土台水切を提供することも他の目的とする。
【課題を解決するための手段】
【０００９】
この発明のある局面に従う換気水切構造は、建物の外壁下端部における換気水切構造であって、建物の基礎と、外壁と、床下通気路と、土台水切とを備える。外壁は、基礎上に間隔をあけて配置される第１の壁部材と、第１の壁部材よりも外部空間側に配置され、第１の壁部材よりも下方にまで延びる第２の壁部材とを含む。床下通気路は、建物の床下空間に連通し、基礎と第１の壁部材との間に形成される。土台水切は、第２の壁部材の下端よりも上方で第２の壁部材の裏面側に配置された外気取入口を有し、外気取入口から取り入れた外気を床下通気路に送り込む。
【００１０】
好ましくは、土台水切は、外気取入口から流入した外気の流れを第２の壁部材の裏面側に向ける構造を有している。
【００１１】
土台水切の外気取入口は、第２の壁部材の裏面側において上下方向に延びていることが望ましい。
【００１２】
好ましくは、第１の壁部材と第２の壁部材との間に形成され、上下方向に延びる壁内通気路をさらに備え、土台水切は、外気取入口から取り入れた外気を、床下通気路および壁内通気路の双方に送り込む。
【００１３】
第２の壁部材および壁内通気路は、基礎の外側面よりも外部空間側に位置していてもよい。この場合、土台水切は、第２の壁部材の裏面と基礎の外側面との間に取り付けられることが望ましい。
【００１４】
好ましくは、土台水切は、外気取入口が設けられた立壁部と、立壁部の下端部から第２の壁部材にまで延び、外気取入口よりも外部空間側からの水の浸入を遮るための前方遮水部と、立壁部の上端部と基礎との間に配置され、外気取入口よりも内部空間側からの水の浸入を遮るための後方遮水部とを含む。
【００１５】
第１の壁部材の一部も、基礎の外側面よりも外部空間側に張り出して配置されていてもよい。この場合、後方遮水部は、立壁部の上端部から内部空間側へ延び、第１の壁部材の下方に配置される上壁部を有し、上壁部と第１の壁部材との間に、外気取入口から取り入れられた外気が床下通気路にまで至る通気経路が形成されることが望ましい。
【００１６】
好ましくは、上壁部は、略水平方向に延びている。この場合、床下通気路への通気が必要ない箇所には、上壁部と第１の壁部材との間に、シール部材が配置されてもよい。
【００１７】
第２の壁部材は、上下方向に貫通する空洞を有していてもよい。この場合、土台水切構造は、土台水切の前方遮水部に取り付けられ、第２の壁部材の下端面に沿って空洞よりも外部空間側にまで延びる延出部材をさらに備え、延出部材の先端部と第２の壁部材の下端面との間には、空洞への水の浸入を遮るためのシール部材が設けられることが望ましい。
【００１８】
この発明の他の局面に従う土台水切は、建物の外壁下端部に取り付けられる。外壁は、基礎上に間隔をあけて配置される第１の壁部材と、第１の壁部材よりも外部空間側に配置され、第１の壁部材よりも下方にまで延びる第２の壁部材とを含む。土台水切は、第２の壁部材の下端よりも上方で第２の壁部材の裏面側に配置された外気取入口を有し、外気取入口から取り入れた外気を、基礎と第１の壁部材との間に形成された床下通気路に送り込む。
【発明の効果】
【００１９】
本発明によれば、外壁下端部の意匠性を向上させることができる。
【００２０】
また、土台水切が、外気取入口から流入した外気の流れを第２の壁部材の裏面側に向ける構造を有する場合には、床下空間への雨水の浸入を抑制することもできる。
【図面の簡単な説明】
【００２１】
【図１】本発明の実施の形態に係る外壁下端部の換気水切構造を示す断面図である。
【図２】本発明の実施の形態における土台水切を示す斜視図である。
【図３】図２のＩＩＩ−ＩＩＩ線で切断した場合の土台水切の断面図である。
【図４】本発明の実施の形態に係る外壁下端部の換気水切構造における、強風時の空気の流れを示す図である。
【図５】本発明の実施の形態に係る外壁下端部の換気水切構造の他の例を示す断面図である。
【図６】本発明の実施の形態における土台水切の応用例を示す断面図である。
【図７】図６に示した延出部材の形状例を示す断面図である。
【図８】公知の外壁下端部の換気水切構造の一例を示す断面図である。
【図９】図８に示した外壁下端部の換気水切構造における、強風時の空気の流れを示す図である。
【発明を実施するための形態】
【００２２】
本発明の実施の形態について図面を参照しながら詳細に説明する。なお、図中同一または相当部分には同一符号を付してその説明は繰返さない。
【００２３】
＜概要について＞
はじめに、図１を参照しながら、本実施の形態に係る外壁下端部の換気水切構造の概要について説明する。なお、図１の矢印Ａ１で示す方向を「外部空間側」、その反対方向を「内部空間側」という。
【００２４】
図１を参照して、建物の外壁下端部における換気水切構造は、建物の基礎１と、外壁１０と、土台水切２０とを備えている。外壁１０は、基礎１上に間隔をあけて配置される壁部材１１と、壁部材１１よりも外部空間側に配置され、壁部材１１よりも下方にまで延びる壁部材１２とを含む。ただし、壁部材１２の下端面１２ａの高さは、基礎１の上面１ａよりも上方であってもよい。
【００２５】
外壁１０の壁部材１１と壁部材１２との間には、防湿のために上下方向に延びる通気路（以下「壁内通気路」という）４１が形成されている。壁内通気路４１は、壁部材１１と壁部材１２との間に所定ピッチで配置される複数の縦桟材（図示せず）により区切られる空間である。また、基礎１の上面１ａと壁部材１１との間には、建物の床下空間に連通する通気路（以下「床下通気路」という）４２が形成されている。床下通気路４２は、たとえば、基礎１上に、複数の土台（図示せず）が間隔をおいて配置されることによって形成されている。
【００２６】
本実施の形態において、壁部材１２は、外装面材（化粧材）である。なお、壁部材１２は、外装面材以外の部材をさらに含んでいてもよい。壁部材１１は、たとえば外壁パネルを構成しており、壁内通気路４１に面する面材１３と、面材１３に隣接して配置される断熱材１４と、断熱材１４の下端部を支持するパネルフレーム１５とを含む。面材１３は、たとえば、グラスウールボードであってもよいし、合板など構造用面材であってもよい。断熱材１４よりも内部空間側には、柱（図示せず）が配置されている。
【００２７】
土台水切２０は、床下通気路４２への水の浸入を防止するとともに、（通常時において）壁内通気路４１および床下通気路４２の双方に外気を送り込む換気部材として機能する。そのため、土台水切２０は、下方より外気を取り入れる外気取入口２１と、外気取入口２１から壁内通気路４１にまで至る第１通気経路５１と、外気取入口２１から床下通気路４２にまで至る第２通気経路５２とを有している。
【００２８】
ここで、図８を参照して、公知の換気水切構造について簡単に説明する。なお、図８において、図１に示した本実施の形態に係る換気水切構造と同一または相当する部分には、同じ符号が付されている。
【００２９】
図８に示されるように、公知の換気水切構造では、外壁１１０の壁部材１１の下端位置（面材１３の下端面１３ａ）と、外装面材である壁部材１２の下端位置（下端面１２ａ）とは、ほぼ同じ高さである。また、壁内通気路４１は、基礎１上に位置し、壁部材１２の一部のみが基礎１よりも外部空間側に張り出している。この場合、土台水切１２０の外気取入口１２１は、壁部材１２の下端面１２ａよりも下方で、かつ、基礎１の外側面１ｂよりも外部空間側に配置されている。そのため、土台水切１２０のうちの、外気取入口１２１よりも外部空間側に位置する水切部１２２全体が、外壁１１０（壁部材１２）の下方位置において露出している。
【００３０】
また、このような公知の換気水切構造では、外気は、矢印Ｆ１０１に示されるような流れで壁内通気路４１および床下通気路４２の両方に送り込まれる。つまり、外気取入口１２１から取り入れられた外気は、一旦、内部空間側斜め上方に向かい、途中で、上方の壁内通気路４１へ向かう第１通気経路１５１と、内部空間側の床下通気路４２へ向かう第２通気経路１５２とに枝分かれする。つまり、外気取入口１２１から床下通気路４２までの第２通気経路１５２は、緩やかな曲線状となっている。したがって、風の向きや風の強さによっては、風とともに雨水が床下通気路４２まで入り込んでしまう可能性がある。
【００３１】
これに対し、本実施の形態における外壁下端部の換気水切構造は、上記のような公知の換気水切構造よりも、床下通気路４２への雨水の浸入が抑制される。以下に、本実施の形態に係る外壁下端部の換気水切構造の具体例について詳細に説明する。
【００３２】
＜換気水切構造の具体例について＞
図１に示されるように、本実施の形態では、外壁１０のうち、壁部材１２、壁内通気路４１および面材１３（つまり、壁部材１１の一部）は、基礎１の外側面１ｂよりも外部空間側に張り出している。そのため、土台水切２０は、壁部材１２の裏面１２ｂと基礎１の外側面１ｂとの間に取り付けられている。
【００３３】
土台水切２０の外気取入口２１は、壁部材１２の下端面１２ａよりも上方で、かつ、壁部材１２の裏面１２ｂ側に配置されている。また、土台水切２０は、外気取入口２１から流入した外気の流れを壁部材１２の裏面１２ｂ側に向ける構造を有している。
【００３４】
土台水切２０の構造例については、図２および図３を用いて説明する。図２は、本発明の実施の形態１における土台水切２０を示す斜視図である。図３は、図２のＩＩＩ−ＩＩＩ線で切断した場合の土台水切２０の断面図である。なお、土台水切２０の説明において、外部空間側および内部空間側を、それぞれ「前方」および「後方」ともいう。
【００３５】
土台水切２０は、上下方向に延び、複数の矩形形状の外気取入口２１を有する前方立壁部２２と、外気取入口よりも外部空間側からの水の浸入を遮るための前方遮水部と、外気取入口よりも内部空間側からの水の浸入を遮るための後方遮水部とを含む。このように、本実施の形態では、外気取入口２１は、壁部材１２の裏面１２ｂに沿って上下方向に延びている。外気取入口２１は、たとえばメッシュ材で覆われている。
【００３６】
前方遮水部は、前方立壁部２２の下端部から壁部材１２にまで延びている。前方遮水部は、たとえば前方底壁部２３と側壁部２４とを含む。前方底壁部２３は、前方立壁部２２の下端部より前方に位置し、略水平方向に延びている。前方底壁部２３は、壁部材１２の下端面１２ａの高さ以上の位置に配置されていることが望ましい。側壁部２４は、前方底壁部２３の前方端部より上方に立ち上がり、壁部材１２の下端部裏面１２ｂに当接する。
【００３７】
後方遮水部は、前方立壁部２２の上端部と基礎１の外側面１ｂとの間に配置されている。後方遮水部は、たとえば後方立壁部２５と上壁部２６と後方底壁部２７とを含む。後方立壁部２５は、前方立壁部２２よりも後方において、前方立壁部２２と略平行に配置されている。後方立壁部２５は、基礎１の上端（上面１ａ）よりも下方位置にまで延びていることが望ましい。
【００３８】
上壁部２６は、前方立壁部２２の上端部と後方立壁部２５の上端部とを連結している。上壁部２６は、壁部材１１のうちの面材１３の下方に配置されている。この場合、上壁部２６と面材１３の下端面１３ａとの間に、第２通気経路５２が形成される。上壁部２６は、略水平方向に延びていることが望ましい。なお、上壁部２６と面材１３（壁部材１１）とは、上下方向に少なくとも一部重なっていればよい。
【００３９】
後方底壁部２７は、後方立壁部２５の下端部より後方へ向かって斜め上方に延びている。後方底壁部２７上には、後方底壁部２７の後方端部と基礎１の外側面１ｂとの隙間からの水の浸入を防止するために、乾式シール材６１が配置される。なお、後方底壁部２７の後方端部は、基礎１の外側面１ｂに当接してもよい。また、前方遮水部と同様に、後方底壁部２７の後方端部から上方に立ち上がり、基礎１の外側面１ｂに当接する側壁部（図示せず）がさらに設けられてもよい。
【００４０】
なお、土台水切２０は、たとえば、図２に示されるような所定長さの複数の水切部品が長手方向に隣接して並べられることによって形成されている。たとえば、後方立壁部２５の長手方向一端部および他端部には、貫通穴２５ａ，２５ｂがそれぞれ設けられている。これらの貫通穴２５ａ，２５ｂにビス７１が差し込まれることで、固定金物７０に土台水切２０が取り付けられる。固定金物７０は、たとえばパネルフレーム１５の下端に固定されている。なお、土台水切２０を基礎１の縁に沿って取り付けるための水切取付部材は、図１に示されるような固定金物７０に限定されない。
【００４１】
上述のように、本実施の形態では、土台水切２０の外気取入口２１を、壁部材１２の裏面１２ｂ側に設けることで、土台水切２０を外部から隠した状態で配置することができる。したがって、本実施の形態によれば、外壁下端部の意匠性を向上させることができる。
【００４２】
また、本実施の形態では、土台水切２０の外気取入口２１が、壁部材１２の裏面１２ｂに沿って上下方向に配置される。これにより、外気は、外気取入口２１の後方から取り入れられるため、外気取入口２１から流入した外気の流れは、壁部材１２の裏面１２ｂ側に向けられる。したがって、壁部材１２の下方を吹く風は、後方立壁部２５（または基礎１の外側面１ｂ）に衝突した後、外気取入口２１を通過して壁部材１２の裏面１２ｂに突き当たる。その後、外気は、再度、内部空間側へ経路を変えて床下通気路４２へ吹き込む。つまり、壁部材１２の下方から床下通気路４２へ向かう外気の経路（第２通気経路５２を含む経路）は、図１に示されるような、外部空間側へ迂回するＳ字状の経路となる。したがって、風の向きや風の強さに関わらす、雨水が床下通気路４２へ浸入するリスクを大幅に低減することができる。
【００４３】
床下通気路４２の防水性をさらに高めるためには、外壁下端部の換気水切構造は、負圧発生構造を有していることが望ましい。「負圧発生構造」とは、外壁１０近傍の風速が所定値以上になったときに、外気取入口２１から取り入れた外気を、第１通気経路５１を経由して壁内通気路４１に優先的に送り込み、第２通気経路５２内の空気を壁内通気路４１側に向かわせる負圧を発生させる構造をいう。負圧発生構造は、風速１０ｍ／ｓのときに負圧を発生していることが望ましいが、少なくとも風速１５ｍ／ｓのときに負圧を発生していればよい。負圧発生構造を備えた外壁下端部の換気水切構造（外壁換気構造）については、特願２０１３−００８２６９号として出願済である。なお、以下の説明において、風速が所定値以上であるときを「強風時」といい、それ以外を「通常時」という。
【００４４】
負圧発生構造を有さない公知の換気水切構造の場合、図９に示すように、たとえば台風並みの強風時には、風は、矢印Ｆ１０２に示されるような流れで壁内通気路４１および床下通気路４２の両方に送り込まれる。つまり、公知の換気水切構造では、強風時においても、外気は通常時と同様の通気経路をたどる。したがって、強風かつ雨降りの場合には、雨水を含んだ外気が、壁内通気路４１および床下通気路４２の両方に送り込まれることになる。壁内通気路４１内に雨水が入り込んだとしても、壁内通気路４１の下端から雨水は落下するため、壁内通気路４１に雨水が留まることはない。しかしながら、床下通気路４２に雨水が入り込んだ場合、雨水が床下空間に浸入してしまい、床下空間に雨水が留まる恐れがある。
【００４５】
これに対し、図１に示した換気水切構造は、負圧発生構造を有している。すなわち、第１の負圧発生構造として、外気取入口２１から壁内通気路４１まで至る第１通気経路５１がほぼ直線的または緩やかな曲線状の主経路となり、外気取入口２１から床下通気路４２まで至る第２通気経路５２が側方に分岐する分岐経路となるよう、土台水切２０が配置されている。より具体的には、土台水切２０の外気取入口２１が、面材１３（壁部材１１）の外部空間側の面のほぼ真下に、縦に配置され、外気が後方から取り入れられる。これにより、第１通気経路５１が主経路とされている。したがって、図１の矢印Ｆ１１に示されるように、通常時において、外気取入口２１から取り入れられた外気は、ほぼ直線状または緩やかな曲線状に、上方に位置する第１通気経路５１に向かい、途中で、第２通気経路５２に分岐する。なお、土台水切２０は、後述の土台水切２０Ａ（図５）のように、上端側が斜め後方へ傾斜した外気取入口２１が、壁内通気路４１の下方に配置されていてもよい。
【００４６】
また、第２の負圧発生構造として、図１に示されるように、壁内通気路４１の入口寸法Ｌ１よりも床下通気路４２の入口寸法Ｌ２の方が小さくなるように、土台水切２０が配置されている。寸法Ｌ１は、壁内通気路４１の厚み、すなわち、壁部材１１と壁部材１２との間隔を示している。寸法Ｌ２は、土台水切２０における上壁部２６と、その直上に位置する面材１３の下端面１３ａとの間隔を示している。なお、本実施の形態における床下通気路４２の入口寸法Ｌ２は、通常時における所定の換気量を確保するための下限値以上とされているものとする。これに対し、図８に示したような公知の換気水切構造では、床下通気路４２の入口寸法Ｌ１０２は、壁内通気路４１の入口寸法Ｌ１０１以上とされている。つまり、壁内通気路４１の入口開口面積よりも、床下通気路４２の入口開口面積の方が大きい。なお、図８の例では、寸法Ｌ１０２は、土台水切１２０における内部空間側の側壁部１２３の上端部と、その直上に位置する面材１３の下端面１３ａとの間隔を示している。
【００４７】
また、第３の負圧発生構造として、土台水切２０の前方立壁部２２が、第２通気経路５２への外気の流れに対して抵抗を与える衝立壁を兼ねるように形成および配置されている。具体的には、図１〜図３に示されるように、外気取入口２１は、前方立壁部２２の上側の一部（以下「上側側面」という）２２０を除外して形成されており、当該上側側面２２０が、第２通気経路５２への外気の流れに対し、角度をもって存在することで、衝立壁としての役割を果たす。なお、本実施の形態では、前方立壁部２２が衝立壁を兼ねる構成としたが、たとえば前方立壁部２２よりも後方に、専用の衝立壁が設けられてもよい。
【００４８】
上記第１〜第３の負圧発生構造を採用する換気水切構造における、強風時の空気の流れを図４に示す。図４を参照して、建物の近傍の天候が、強風かつ雨降りであるとする。その場合、雨水を含んだ強風は、矢印Ｆ１２に示されるような流れで、第１通気経路５１を経由して壁内通気路４１に送り込まれる。また、床下通気路４２側には負圧が発生されるため、第２通気経路５２内の空気は、矢印Ｆ１３に示されるような流れで、第１通気経路５１側に送り込まれる。第１通気経路５１側に送り込まれた第２通気経路５２内の空気は、外気取入口２１から取り入れられた外気（雨水を含んだ強風）とともに壁内通気路４１内に引き込まれる。したがって、強風を伴う降雨の際にも、床下通気路４２への雨水の流入を効果的に阻止することができる。
【００４９】
なお、本実施の形態では、土台水切２０は、壁部材１２の裏面１２ｂと基礎１の外側面１ｂとの間に取り付けられた。つまり、壁部材１２と壁内通気路４１と壁部材１１の一部（面材１３）とが、基礎１よりも外部空間側に張り出して配置されているため、土台水切２０の全体が、基礎１の外側面１ｂよりも外部空間側に配置されていた。しかしながら、土台水切２０の前方底壁部２３の位置が基礎１の上面１ａよりも高い位置であれば、土台水切２０の一部は基礎１上に配置されてもよい。たとえば、土台水切２０の後方立壁部２５は、その下端部が基礎１の上面１ａに位置するように、傾斜して配置されていてもよい。
【００５０】
または、壁部材１２の下端面１２ａの位置が、基礎１の上面１ａよりも十分に高い位置にあれば、壁部材１２も、基礎１上に配置されていてもよい。この場合、土台水切２０の全体が、基礎１上に配置される。
【００５１】
また、本実施の形態では、外気取入口２１が壁部材１２の裏面１２ｂに沿って上下方向に延びていることとしたが、外気取入口２１から流入した外気の流れを壁部材１２の裏面１２ｂ側に向けることができれば、外気取入口２１は、壁部材１２の裏面１２ｂ側において傾斜していてもよい。具体的には、図５に示す土台水切２０Ａのように、外気取入口２１が設けられた前方立壁部２２Ａが、その上端側が下端側よりも後方となるよう傾斜していてもよい。
【００５２】
また、外壁下端部の意匠性を重視する観点からすれば、土台水切２０の外気取入口２１は、壁部材１２の下端面１２ａよりも上方（下端面１２ａの高さを含む）で、かつ、壁部材１２の裏面１２ｂ側にさえ配置されていればよい。つまり、意匠性だけに焦点を当てた場合、外気取入口２１は、たとえば水平方向に延びていてもよい。この場合、外気取入口２１は、たとえば前方底壁部２３に設けられてもよい。
【００５３】
＜応用例について＞
上記した形状の土台水切２０によれば、床下空間への換気が不要な箇所に対しても、そのまま土台水切２０を流用することができる。図６を参照しながら、建物の土間に隣接する部分など床下通気路４２への通気が必要ない箇所に、土台水切２０を流用する場合の応用例について説明する。本実施の形態では、第２通気経路５２が、略水平方向に延びる上壁部２６と面材１３（壁部材１１）の下端面１３ａとの間に形成されている。そのため、これらの間に乾式シール材６２を容易に配置することができる。したがって、床下空間の換気を意図した土台水切２０を、床下通気路４２への通気および流水を遮断する水切部材として利用することもできる。なお、上壁部２６と面材１３の下端面１３ａとの間に設けられるシール部材は、湿式のシール材であってもよい。
【００５４】
また、上記した形状の土台水切２０によれば、いわゆる厚物外壁にも対応することができる。厚物外壁の下端部に土台水切２０を取り付ける場合の応用例については、図６および図７を参照しながら説明する。図６に示す壁部材１２Ａは、厚みの大きい外装面材であり、上下方向に貫通する空洞（中空層）１６を有している。壁部材１２Ａの厚みは、たとえば３４ｍｍ程度である。厚みの大きい壁部材１２Ａは、その製造過程において、上下方向に貫通する複数の空洞１６が形成される。この場合、壁部材１２Ａの下端面１２ａには、空洞１６の開口が長手方向（壁部材１２Ａの幅方向）に沿ってほぼ一列に形成される。下端面１２ａの開口から空洞１６内に水が浸入すると、壁部材１２Ａの凍結や劣化につながる。本実施の形態の土台水切２０は、壁部材１２Ａの裏面１２ｂ側に配置されるが、土台水切２０には、壁部材１２Ａの空洞１６内の防水対策としての延出部材３０が容易に取り付けられる。延出部材３０は、壁部材１２Ａの下端面１２ａに沿って、空洞１６（開口）よりも外部空間側にまで延びるように配置される。
【００５５】
具体的には、図７を参照して、土台水切２０は、最も外部空間側に側壁部２４を有している。したがって、延出部材３０は、この側壁部２４に取り付けることができる。延出部３０は、側壁部２４に取り付けられる取付部３１と、取付部３１の下端部から外部空間側に向けて斜め下方に延びる傾斜部３２と、傾斜部３２の下端部より外部空間側に向けて略水平に延びる水平部３３とを含む。この場合、取付部３１は、壁部材１２Ａの裏面１２ｂに当接することが望ましい。なお、取付部３１は、土台水切２０の前方遮水部のうちの前方底壁部２３に取り付けられてもよい。
【００５６】
延出部材３０の水平部３３は、少なくとも空洞１６の直下に位置していることが望ましい。また、水平部３３が壁部材１２Ａから外部空間側へ突出しないように、水平部３３の先端部は、壁部材１２Ａの表面よりも内部空間側に位置していることが望ましい。水平部３３の先端部が内部空間側に折り畳まれることによって、重なり部３４が形成されていてもよい。
【００５７】
この場合、延出部材３０の先端部と壁部材１２Ａの下端面１２ａとの間には、空洞１６への水の浸入を遮るためのシール部材６４が設けられる。本実施の形態では、延出部材３０の重なり部３４上にシール部材６４が設けられている。シール部材６４は、たとえば湿式のシール材である。シール部材６４は、空洞１６の開口を塞がないように配置される。そのため、水平部３３上であって、シール部材６４よりも内部空間側には、バックアップ材６３がさらに設けられてもよい。ただし、バックアップ材６３も、空洞１６の開口を完全に塞がないように隙間を有して配置されることが望ましい。空洞１６内を水滴が流下してきた場合に、水滴が空洞１６内に溜め込まれることを防止するためである。
【００５８】
このような延出部材３０およびシール部材６４が壁部材１２Ａの下方に配置されることで、矢印Ｆ２１に示されるように、壁部材１２Ａの表面を伝って流れる雨水は、壁部材１２Ａの下端面１２ａの空洞１６（開口）側へ流入することなく地面へ流下する。
【００５９】
上述のように、本実施の形態の土台水切２０は、床下空間の換気の要／不要に対して汎用性があるため、別途、外気取入口２１の無い水切部材を製造する必要がない。また、本実施の形態の土台水切２０には、厚物外壁用の延出部材３０を簡単に取り付けることができるため、別途、厚物外壁用の土台水切を製造する必要がない。さらに、土台水切２０は、シンプルな断面形状である。したがって、建物の外壁下端部に必要な土台水切の製造コストを抑えることもできる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
１  基礎、１０，１１０  外壁、１１  （第１の）壁部材  １２，１２Ａ  （第２の）壁部材、１３  面材、１４  断熱材、１５  パネルフレーム、１６  空洞、２０，２０Ａ，１２０  土台水切、２１，１２１  外気取入口、２２，２２Ａ  前方立壁部、２３  前方底壁部、２４  側壁部、２５  後方立壁部、２６  上壁部、２７  後方底壁部、３０  延出部材、３１  取付部、３２  傾斜部、３３  水平部、３４  重なり部、４１  壁内通気路、４２  床下通気路、５１，１５１  第１通気経路、５２，１５２  第２通気経路、６１，６２  乾式シール材、６３  バックアップ材、６４  シール部材、７０  固定金物、７１  ビス。
【図１】
0005953290.tif 000002
【図２】
0005953290.tif 000003
【図３】
0005953290.tif 000004
【図４】
0005953290.tif 000005
【図５】
0005953290.tif 000006
【図６】
0005953290.tif 000007
【図７】
0005953290.tif 000008
【図８】
0005953290.tif 000009
【図９】
0005953290.tif 000010